(57)【要約】      （修正有）【課題】パラジウムを含ませず、金属アレルギーを誘発する可能性を低いものとなすと共に、1回の熱処理で残留応力を除去し、かつ手で微調整することが出来る歯科鋳造用金合金を提供する。【解決手段】Ｐｄを含まず、Ｃｕ：１２．０〜１６．０質量％、Ａｇ：７．５〜１２．０質量％、Ｐｔ：３．２〜４．０質量％、Ｚｎ：０．５〜１．５質量％、Ｉｒ：０．０５〜１．０質量％、残部：Ａｕ及び微量の不可避不純物からなり、軟化熱処理を行うことなく鋳造体を直接硬化熱処理し、または、軟化熱処理した後に硬化熱処理し、前記硬化熱処理後のビッカース硬さ:２６５〜２７５ＨＶ２０、前記硬化熱処理後の０．２％耐力：７４０〜７６０ＭＰａ及び前記硬化熱処理後の破断伸び：１０〜１２％の範囲に入るようにした歯科鋳造用金合金。【選択図】なし【特許請求の範囲】
【請求項１】
パラジウム（Ｐｄ）を含まず、銅（Ｃｕ）：１２．０〜１６．０質量％、銀（Ａｇ）：７．５〜１２．０質量％、白金（Ｐｔ）：３．２〜４．０質量％、亜鉛（Ｚｎ）：０．５〜１．５質量％、イリジウム（Ｉｒ）：０．０５〜１．０質量％、残部：金（Ａｕ）及び微量の不可避不純物からなり、硬化熱処理後のビッカース硬さ：２６５〜２７５ＨＶ２０、前記硬化熱処理後の０．２％耐力：７４０〜７６０ＭＰａ及び前記硬化熱処理後の破断伸び：１０〜１２％であることを特徴とする歯科鋳造用金合金。
【請求項２】
パラジウム（Ｐｄ）を含まず、金：７１．０〜７４．０質量％、銅：１２．０〜１６．０質量％、銀：７．５〜１２．０質量％、白金：３．２〜４．０質量％、亜鉛：０．５〜１．５質量％、イリジウム：０．０５〜１．０質量％及び微量の不可避不純物からなり、硬化熱処理後のビッカース硬さ：２６５〜２７５ＨＶ２０、前記硬化熱処理後の０．２％耐力：７４０〜７６０ＭＰａ及び前記硬化熱処理後の破断伸び：１０〜１２％であることを特徴とする歯科鋳造用金合金。
【請求項３】
前記ビッカース硬さ：２６５〜２７５ＨＶ２０、前記０．２％耐力：７４０〜７６０ＭＰａ及び前記破断伸び：１０〜１２％の値は、鋳造後に、軟化熱処理を行うことなく、硬化熱処理を施したときの値であることを特徴とする請求項１又は請求項２記載の歯科鋳造用金合金。
【請求項４】
前記硬化熱処理は、４５０±１０℃の温度雰囲気に調整した電気炉内にて、少なくとも１０分間加熱した後、炉内で室温まで徐冷することを特徴とする請求項１〜３のいずれかに記載の歯科鋳造用金合金。
【請求項５】
前記電気炉内での加熱時間が、１５〜２０分間であることを特徴とする請求項４記載の歯科鋳造用金合金。
【発明の詳細な説明】
【技術分野】
【０００１】
本発明は、歯科におけるクラウン、ブリッジ、クラスプ、バー及び床の用途に使用される「ＪＩＳ  Ｔ  ６１１６のタイプ４超硬質」相当の歯科鋳造用金合金に係り、特に硬化熱処理後に技工士や歯科医が手で形状を微調整するのに適度な機械的性質を有する歯科鋳造用金合金に関する。
【背景技術】
【０００２】
従来の歯科鋳造用金合金としては、まず特許文献１に記載されているものが挙げられる。
これには、金７０〜８５重量％、銀５〜１３重量％、白金２〜９重量％、パラジウム０〜４．５重量％、イリジウム、レニウム、ロジウムおよび／またはルテニウム０．０５〜１重量％、銅２〜８重量％、インジウム、亜鉛ならびにゲルマニウムの金属の１つ以上２〜６重量％およびガリウム、鉄ならびにタングステンの金属の１つ以上０〜４重量％からなり、この場合、インジウム含量は、少なくとも１重量％でなければならないことを特徴とする黄色歯科用合金が記載されている。
かかる黄色歯科用合金は、パラジウムを０〜４．５重量％（実施例では２〜３重量％）含んでいる。パラジウムは、金属アレルギーの顕著な金属元素としても知られており、含まないことが望まれている。
また、かかる黄色歯科用合金は、後述する比較例から明らかなように、硬化熱処理後のビッカース硬さ、０．２％耐力及び破断伸びが低く、硬化熱処理後の技工士や歯科医が手で形状を微調整するのに適度な機械的性質を有する歯科鋳造用金合金とは言い難い。
【０００３】
特許文献２の請求項１には、６０〜９０重量％の金、０〜２０重量％の銀、０〜７重量％のパラジウム、０〜１１重量％の白金、０〜２０重量％の銅、０〜２重量％の亜鉛、０〜１重量％のスズ、および０〜３重量％のインジウムならびに微量の結晶粒リファイナから成る金色歯科用合金が示されている。
また、請求項２には、  ６０〜７２重量％の金、１０〜１７重量％の銀、３〜７重量％のパラジウム、０〜４重量％の白金、９〜１７重量％の銅、０．９〜１．１重量％の亜鉛、０．１〜１重量％のスズ、０〜１重量％のインジウム、および０．００１〜０．１重量％の結晶粒リファイナから成る金色歯科用合金が記載されている。
さらに、請求項４には、  ７０．７重量％の金、１３．７重量％の銀、３．５９重量％の白金、１０重量％の銅、１重量％の亜鉛、１重量％のスズ、および０．０１重量％のイリジウムを含む金色歯科用合金が記載されている。
特許文献２の表２には、これら合金の好適な物理特性として、硬化熱処理後におけるビッカース硬さ：２３０、０．２％耐力：５８５ＭＰａ及び破断伸び率：２０％が記載されている。
かかる金色歯科用合金は、従来の鋳造合金に対する以下の利点および／または利益として、下記のことを挙げている。
（１）高い降状強度、伸び率、およびビッカース硬さ
（２）はめ込み（ｔｅｌｅｓｃｏｐｅ）歯冠のミリングおよびインプラントの超格子構造の形成に適した強度の提供
（３）サンドブラスチングを介しての局部的な酸化が可能
（４）樹脂被覆材料への優れた結合の形成
（５）高貴な（ｈｉｇｈ  ｎｏｂｌｅ）合金
（６）良好な研磨特性。
そして、これら合金は、ブリッジ、インレー、アンレー、歯冠、厚被覆歯冠、および短期固定部分義歯などの、非常に高い圧力を受ける修復を含む適応を有するタイプＩＶであるとしている。
しかし、特許文献２の表２に示されている好適な物理特性値及び後述する比較例から明らかなように、硬化熱処理後のビッカース硬さ、０．２％耐力が低く、また破断伸びが大きく、やはり、硬化熱処理後の技工士や歯科医が手で形状を微調整するのに適度な機械的性質を有する歯科鋳造用金合金とは言い難い。
また、この金色歯科用合金は、パラジウムを０〜７質量％（請求項２では３〜７質量％）含んでいる。パラジウムは、金属アレルギーの顕著な金属元素としても知られており、含まないことが望まれている。
【０００４】
パラジウムを含ませず、金属アレルギーを誘発する可能性を低いものとした金合金として特許文献３が挙げられる。
すなわち、特許文献３には、請求の範囲をまとめると、パラジウムを含有せず、金７２〜７６重量％、白金６〜８重量％、銅８〜９．４％、亜鉛０．５〜２重量％、イリジウム０．０１〜０．２重量％からなる歯科用高カラット金合金が示されている。
さらに、特許文献３の表１には実施例１〜５、比較例１〜２および従来例１〜２の具体的組成が記載され、表２には硬化熱処理後におけるビッカース硬さ、０．２％耐力および破断伸びが記載されている。
これらの物理特性値をみると、後述する比較例から明らかなように、概して硬化熱処理後のビッカース硬さ、０．２％耐力が低く、また破断伸びが大きく、硬化熱処理後の技工士や歯科医が手で形状を微調整するのに適度な機械的性質を有する歯科鋳造用金合金とは言い難いものであった。また、白金の含有量が６〜８重量％と比較的多く、高価なものとなっている。
【０００５】
特許文献４にも、パラジウムを含ませず、金属アレルギーを誘発する可能性を低いものとした金合金が開示されている。
すなわち、特許文献４の請求項１には、金７０〜７５重量％、銀５〜９重量％、白金１〜４重量％、銅１３〜１７重量％、亜鉛０．１〜２重量％、及びイリジウム、レニウム、ロジウム及び／又はルテニウム０．０１〜０．１重量％を含有し残部が不可避的不純物からなる歯科鋳造用金合金が示されている。
また、請求項２には、前記請求項１において、トレーシングペーパーを介在した測色値が、Ｌ＊が７９〜８３、ａ＊が４〜６、ｂ＊が１０〜２４である歯科鋳造用金合金が開示されている。
かかる歯科鋳造用金合金は、アレルギー発現性の高い元素を含有しないで歯科鋳造用合金に必要な物理的特性を具備し、口腔内に設置時において、多大な審美感と生体親和性を示すとしている。
しかしながら、この歯科鋳造用金合金は、後述する比較例から明らかなように、硬くて、技工士や歯科医が手で形状を微調整するのに適度な機械的性質を有する歯科鋳造用金合金とは言い難いものであった。
【先行技術文献】
【特許文献】
【０００６】
【特許文献１】特許２５２５５２７号公報
【特許文献２】特開平１１−１５２５３１号公報
【特許文献３】特開２００９−９７０３１号公報
【特許文献４】特開２０１０−１２３０号公報
【発明の概要】
【発明が解決しようとする課題】
【０００７】
前述の如き歯科鋳造用金合金は、理想的に鋳造されていれば、本来、鋳造体の微調整はいらないはずであるが、実際には、義歯を口腔内により精度よく適合させるために鋳造物形状の微調整が必要になる。
また、鋳造体には鋳造応力が残留する。特に義歯のような複雑な形状では、場所によって冷却速度が異なるので残留応力が生じやすい。鋳造したままの状態では、義歯の作製後に義歯を口腔内に入れるまでに、または口腔内に入れている間に、残留応力によって義歯が変形して時間が経つにつれて適合が悪くなる。
一方、熱処理により残留応力を除去することで残留応力による変形が起こらず、熱処理なしの場合よりも適合精度の良い義歯を作製することができる。
臨床では、残留応力を除去するために、軟化熱処理を行う。しかし、軟化熱処理をしたままでは、口腔内で使用するのに適した機械的性質を有していないためにその後、硬化熱処理をすることが求められる。しかし、この方法では２度の熱処理のために歯科技工士にとって非常に手間がかかる。
しかも、実際の歯科技工作業では手で義歯の形状を微調整して適合精度を高める場面が求められているが、それに適した機械的性質の歯科鋳造用合金はなかった。
そこでこの発明の目的は、パラジウムを含ませず、金属アレルギーを誘発する可能性を低いものとなすと共に、１回の熱処理で残留応力を除去し、かつ手で微調整することが出来る歯科鋳造用金合金を提供することにある。
【課題を解決するための手段】
【０００８】
本発明者は、前記の課題を解決すべく、鋭意研究の結果、軟化熱処理を行うことなく、鋳造体を鋳造のまま直接硬化熱処理した歯科鋳造用金合金、ないし、軟化熱処理した後に硬化熱処理した歯科鋳造用金合金の機械的性質のビッカース硬さ、０．２％耐力及び破断伸びが、特定の範囲に入るようにすると、前記目的を達成できることを見出し、本発明に到達したものである。
【０００９】
すなわち、前記問題点を解決するための本発明の請求項１に係わる歯科鋳造用金合金は、銅：１２．０〜１６．０質量％、銀：７．５〜１２．０質量％、白金：３．２〜４．０質量％、亜鉛：０．５〜１．５質量％、イリジウム：０．０５〜１．０質量％、残部：金及び微量の不可避不純物からなり、硬化熱処理後のビッカース硬さ：２６５〜２７５ＨＶ２０、前記硬化熱処理後の０．２％耐力：７４０〜７６０ＭＰａ及び前記硬化熱処理後の破断伸び：１０〜１２％であることを特徴とする。
【００１０】
本発明の請求項２に係わる歯科鋳造用金合金は、金：７１．０〜７４．０質量％、銅：１２．０〜１６．０質量％、銀：７．５〜１２．０質量％、白金：３．２〜４．０質量％、亜鉛：０．５〜１．５質量％、イリジウム：０．０５〜１．０質量％及び微量の不可避不純物からなり、硬化熱処理後のビッカース硬さ：２６５〜２７５ＨＶ２０、前記硬化熱処理後の０．２％耐力：７４０〜７６０ＭＰａ及び前記硬化熱処理後の破断伸び：１０〜１２％であることを特徴とする。
【００１１】
前記請求項１及び請求項２の発明においては、パラジウムを含ませず、金属アレルギーを誘発する可能性を低いものとした金合金であり、かつ、硬化熱処理後に、容易に手で微調整することが出来る歯科鋳造用合金となる。
銅は、金と規則格子を形成することで合金の強度を高める。また、合金に赤みを帯びた色調を与える。銅の含有量を低くするとビッカース硬さと０．２％耐力が低くなりすぎ、また色調も赤みを帯びた色を呈さなくなる。１６％を超えると硬くなりすぎ、技工士が形態調整できなくなる。
銀は、白金加金の融点を下げる効果がある。しかし、多すぎると合金の色が白色化し、赤みを帯びた色が消えてしまう。
白金は、耐食性の向上および強度の向上に寄与する。しかし、高価であるため多すぎると合金のコストが高くなる。また、合金の色を白色化させてしまう。
亜鉛は、脱酸剤として働く。多すぎると伸びが低下し脆くなる。
イリジウムは、合金の結晶粒を微細化させ、機械的性質を向上させる。
歯科鋳造用金合金を銅：１２．０〜１６．０質量％、銀：７．５〜１２．０質量％、白金：３．２〜４．０質量％、亜鉛：０．５〜１．５質量％、イリジウム：０．０５〜１．０質量％、残部：金及び微量の不可避不純物からなる組成とすることにより、または、金：７１．０〜７４．０質量％、銅：１２．０〜１６．０質量％、銀：７．５〜１２．０質量％、白金：３．２〜４．０質量％、亜鉛：０．５〜１．５質量％、イリジウム：０．０５〜１．０質量％からなる組成とすることにより、硬化熱処理後のビッカース硬さ：２６５〜２７５ＨＶ２０、前記硬化熱処理後の０．２％耐力：７４０〜７６０ＭＰａ及び前記硬化熱処理後の破断伸び：１０〜１２％の範囲にすることができ、手で微調整するのに適した歯科鋳造用金合金とすることができる。
【００１２】
前記硬化熱処理後のビッカース硬さは、ＪＩＳ  Ｚ  ２２４１に規定する方法により測定する。
【００１３】
前記硬化熱処理後の０．２％耐力および破断伸びは、材料試験機に、引張試験片をセットし、クロスヘッド速度０．１ｍｍ／分にて引張試験を行い、応力−ひずみ曲線から、０．２％耐力および破断伸びを算出する。
０．２％耐力は、ＪＩＳ  Ｚ  ２２４１に規定する“オフセット法”（  規定の永久伸びε＝０．２％）による。すなわち、ひずみ０．２％・応力ゼロの点から、応力−ひずみ曲線の最初の直線部と平行線を引き、この直線と応力−ひずみ曲線との交点での応力が０．２％耐力である。
破断伸びは、応力−ひずみ曲線上の破断点から、応力−ひずみ曲線の最初の直線部と平行線を引き、応力ゼロの横軸との交点でのひずみである。
これら０．２％耐力および破断伸びは、それぞれ６試料測定しその平均値を採用する。
【００１４】
前記請求項１及び２の発明においては、鋳造後に軟化熱処理を行い、その後、硬化熱処理を施した時のビッカース硬さ、０．２％耐力及び破断伸びの値でも、また、鋳造後に軟化熱処理を行うことなく硬化熱処理を施した時のビッカース硬さ、０．２％耐力及び破断伸びの値のいずれでもよい。
【００１５】
本発明の請求項３に係わる歯科鋳造用金合金は、当該歯科鋳造用金合金の前記ビッカース硬さ：２６５〜２７５ＨＶ２０、前記０．２％耐力：７４０〜７６０ＭＰａ及び前記破断伸び：１０〜１２％の値が、鋳造後に、軟化熱処理を行うことなく、硬化熱処理を施したときの値であることを特徴とする。
鋳造後に直接硬化熱処理を行った歯科鋳造用金合金と、鋳造後に軟化熱処理し、その後に硬化熱処理を行った歯科鋳造用金合金との間には、０．２％耐力と破断伸びおよびビッカース硬さに関して有意差がなく、鋳造後に軟化熱処理をしてもしなくても最終的に硬化熱処理を行えば機械的性質に差がない。したがって、鋳造後にいきなり硬化熱処理を行えば、臨床で残留応力を除去するために行う軟化熱処理の工程を省くことができ、１回の熱処理で残留応力を除去し、かつ手で微調整することが出来る歯科鋳造用金合金にすることができる。
【００１６】
本発明の請求項４に係わる歯科鋳造用金合金は、上記した請求項１又は２において、前記硬化熱処理は、４５０±１０℃の温度雰囲気に調整した電気炉内にて、少なくとも１０分間加熱した後、炉内で室温まで徐冷することを特徴とする。
【発明の効果】
【００１７】
前述の如き、所定範囲の組成で、かつ硬化熱処理後のビッカース硬さ、０．２％耐力および破断伸びが、所定の範囲に入っていると、硬化熱処理後に、容易に手で微調整することが出来る歯科用鋳造用合金となる。さらに、パラジウムを含ませず、金属アレルギーを誘発する可能性を低いものとした金合金である。
歯科鋳造用合金で造形した、例えば義歯のような複雑な形状の鋳造体では、場所によって冷却速度が異なるので、凝固時の収縮により残留応力が生じ、鋳造のままで義歯を作製すると、作製後に義歯を口腔内に入れるまでにあるいは、口腔内に入れている間に残留応力によって義歯が変形して時間が経つにつれて適合が悪くなる。これを、熱処理により残留応力を除去することで、残留応力による変形が起こらず、熱処理なしの場合よりも適合精度の良い義歯を作製することができると共に、手で微調整することが出来る。
【図面の簡単な説明】
【００１８】
【図１】湾曲板状のモニター評価試料の形状を示す説明図で、（ａ）は正面図であり、（ｂ）は側面図である。
【図２】棒状のモニター評価試料の形状を示す説明図で、（ａ）は正面図であり、（ｂ）は側面図である。。
【図３】硬化熱処理をしない、鋳造のままの状態の試験片Ａと、鋳造後に軟化熱処理を経ずに直接上記硬化熱処理を行った実施例１，鋳造したままの試験片Ａを軟化熱処理（７００℃１０分保持後、水冷）後にかかる硬化熱処理をした実施例２のビッカース硬さを比較することにより、最終的に硬化熱処理を行えば、途中で軟化熱処理をするしないにかかわらず有意さがないことを示すグラフ。
【図４】試験片Ａと実施例１，２の０．２％耐力を比較することにより、最終的に硬化熱処理を行えば、途中で軟化熱処理をするしないにかかわらず有意さがないことを示すグラフ。
【図５】試験片Ａと実施例１，２の破断伸びを比較することにより、最終的に硬化熱処理を行えば、途中で軟化熱処理をするしないにかかわらず有意さがないことを示すグラフ。
【発明を実施するための形態】
【００１９】
本発明の歯科鋳造用金合金は、銅（Ｃｕ）：１２．０〜１６．０質量％、銀（Ａｇ）：７．５〜１２．０質量％、白金（Ｐｔ）：３．２〜４．０質量％、亜鉛（Ｚｎ）：０．５〜１．５質量％、イリジウム（Ｉｒ）：０．０５〜１．０質量％、残部：金（Ａｕ）及び微量の不可避不純物からなり、さらには、金：７１．０〜７４．０質量％、銅：１２．０〜１６．０質量％、銀：７．５〜１２．０質量％、白金：３．２〜４．０質量％、亜鉛：０．５〜１．５質量％、イリジウム：０．０５〜１．０質量％及び微量の不可避不純物からなるものであり、かつ、前記硬化熱処理後のビッカース硬さ：２６５〜２７５ＨＶ２０、硬化熱処理後の０．２％耐力：７４０〜７６０ＭＰａ及び前記硬化熱処理後の破断伸び：１０〜１２％である。
【００２０】
銅（Ｃｕ）は、金（Ａｕ）と規則格子を形成することで合金の強度を高める。また、合金に赤みを帯びた色調を与える。銅（Ｃｕ）の含有量を低くするとビッカース硬さと０．２％耐力が低くなりすぎ、また色調も赤みを帯びた色を呈さなくなる。１６％を超えると硬くなりすぎ、技工士が形態調整できなくなる。
銀（Ａｇ）は、白金加金の融点を下げる効果がある。しかし、多すぎると合金の色が白色化し、赤みを帯びた色が消えてしまう。
白金（Ｐｔ）は、耐食性の向上および強度の向上に寄与する。しかし、高価であるため多すぎると合金のコストが高くなる。また、合金の色を白色化させてしまう。
亜鉛（Ｚｎ）は、脱酸剤として働く。多すぎると伸びが低下し脆くなる。
イリジウム（Ｉｒ）は、合金の結晶粒を微細化させ、機械的性質を向上させる。
本発明の歯科鋳造用金合金は、これら元素を所定の組成に配合することにより、歯科技工士または歯科医が、義歯の適合を手で微調整するために適した機械的性質を有する合金を実現した。
【実施例１】
【００２１】
前述した本発明の組成範囲に近傍の歯科鋳造用金合金のインゴットを製作し、それを用いて、義歯床に見立てた形状のモニター用試験体を２種類形成し、技工士、歯科医等の手による形態修正が容易かどうかのモニター評価を行った。
（モニター評価に用いるインゴットの製造方法）
モニター評価に供した本実施例１及び比較例１、２の歯科鋳造用金合金のインゴット製造方法について述べる。
下記の組成表（表１）に基づいてそれぞれ秤量し、これらの地金を、高周波誘導加熱装置（ＦＨＳ−３０ＭＬ，  富士電子工業株式会社）で融解し、内寸６０×１５０×３ｍｍの鋳型に鋳込んだ。作製した板状合金を厚さ約０．７５ｍｍまで圧延加工し、その後、スリッター切断機で１２．５ｍｍ幅に切断。打ち抜き機で約１０×１２．５×０．７５ｍｍの形状のインゴットを作製した。
【００２２】
【表１】
2012167344.tif 000002
【００２３】
（モニター評価試料の作製）
まず、長手方向に半分に切断した内径４６ｍｍのステンレスパイプの内側を印象採取し、石膏で模型基台を作製した。寸法は、曲率半径が２３ｍｍの湾曲した断面を持ち、長手方向の長さが４０ｍｍとした。この模型基台上に、断面を厚さ１ｍｍ、曲率半径が２３ｍｍの湾曲した断面を持ち、長手方向の長さが２５ｍｍのワックスパターンを作製し、ロストワックス法で、上記インゴットを用いてモニター評価に用いる図１に示す形状の義歯床の床部を模した湾曲板状試験体を鋳造により作製した。
また、市販のワックス（レディーキャスティングワックス ＨＲ２８、ジーシー社）を用いて、断面が幅径２．８ｍｍ、高さ１．１ｍｍで、長さが７ｍｍの図２に示す形状の義歯床のバーを模したモニター評価に用いる棒状試験体を、上記のインゴットを用いてロストワックス法で鋳造により作製した。
各試験体は、鋳造後、室温まで空冷した段階で鋳型から取り出し、それぞれの試験体を、軟化熱処理を経ずに、鋳造後に直接、硬化熱処理のために４５０℃の電気炉中に１５分間保持した後、室温まで炉内で冷却した。その後、両試験体を歯科用エンジンを用いて研磨した。
【００２４】
（モニター評価）
硬化熱処理後の実施例１及び比較例１、２の各試験体を、モニター評価に供した。図１の湾曲板状試験体は、各試験体をプライヤーで曲げて、模型基台の形状に試験体がしっかり適合するように調整する。図２の棒状試験体は、試験体をプライヤーで曲げる操作を行う。それぞれを変形させた際の力加減や曲がり具合から、本合金の形態修正の操作性を評価した。
形態修正の操作性評価を、５人の歯科医師および歯科技工士を対象に調査を行った。評価は、本合金を用いて同形状の部分義歯床を１０個作製し、ひとり２個ずつ評価した。形態修正する際の操作性が良好と答えた人数が５〜４人の場合はＡ、３〜２人の場合はＢ、１人以下の場合をＣ評価とした。その結果を表２に示す。
【００２５】
（モニター評価した各インゴットの機械的性質測定のための試験片の作製）
試験片は、上記各インゴットを、ヒータ加熱式反転加圧鋳造機（Ｓｕｐｅｒ  Ｃａｓｃｏｍ，デンケン社製）で大気雰囲気下において溶解し、ロストワックス法を用いて直径２ｍｍ、長さ４５ｍｍの引張試験片６本と、２０×１５×１ｍｍのビッカース硬さ試験片を作製した。各試験片に硬化熱処理を施すために、４５０℃に加熱した電気炉（ＫＤＦ  ００７  ＥＸ，デンケン社）中で１５分保持後、炉内で室温まで冷却した。
ビッカース硬さ試験用の試験片は、両面を＃１８０の耐水ペーパーで平滑にした後、測定面を＃８００、＃１２００の耐水ペーパーで研磨した。
【００２６】
［機械的性質の測定］
（ビッカース硬さ試験）
ビッカース硬さ試験機（明石製作所、ＡＶＫ−ＡＩＩ）にて、試験荷重１９６．１Ｎ（硬さ記号ＨＶ２０）、負荷時間１５秒の条件で、試験片に設けた四角形圧痕の２つの対角線長さを測定し、その平均値から以下の式を用いてビッカース硬さを求めたものである。上記方法で同一試験片上の１０箇所測定し、その平均値を採用する。
【００２７】
【数１】
2012167344.tif 000003
【００２８】
（引張試験）
前記硬化熱処理後の０．２％耐力および破断伸びは、材料試験機（島津社製ＡＧＳ−Ｊ）に、引張試験片をセットし、クロスヘッド速度０．１ｍｍ／分にて引張試験を行い、応力−ひずみ曲線から、０．２％耐力および破断伸びを求めた。
０．２％耐力は、ＪＩＳ  Ｚ  ２２４１に規定する“オフセット法”（規定の永久伸びε＝０．２％）による。すなわち、ひずみ０．２％・応力ゼロの点から、応力−ひずみ曲線の最初の直線部と平行線を引き、この直線と応力−ひずみ曲線との交点での応力が０．２％耐力である。
破断伸びは、応力−ひずみ曲線上の破断点から、応力−ひずみ曲線の最初の直線部と平行線を引き、応力ゼロの横軸との交点でのひずみである。
これら０．２％耐力および破断伸びは、それぞれ６試料測定しその平均値とした。
【００２９】
（統計解析）
引張試験及びビッカース硬さの結果を、一元配置分散分析のBonfferoniの多重比較によって統計解析した。
その結果を表２に示す。
【００３０】
【表２】
2012167344.tif 000004
【００３１】
本件発明は良好な操作性を持つとの評価が得られた。
形態修正は、合金を変形させるので合金の機械的性質が重要となる。比較例１は形態修正の時に硬すぎて変形させられないという結果だった。比較例２では、軟らかすぎて簡単に曲がってしまい、口腔内で使用しているうちに塑性変形を起こしてしまう恐れがあるとの結果だった。本件発明で得られた形態修正の操作性は、上記で示した機械的性質を有していれば良好な形態修正操作性が得られた。
【実施例２】
【００３２】
本願発明の一様態としては、鋳造応力を除去し、さらに手による形態修正に適した機械的性質を持つ補綴物を得るために軟化熱処理を経ずに、いきなり硬化熱処理を行う。
軟化熱処理を経ずにいきなり上記硬化熱処理を行った前述の実施例１の機械的性質測定のための試験片と比較するために、硬化熱処理をしない鋳造のままの試験片Ａと、鋳造したままの試験片Ａを軟化熱処理（７００℃１０分保持後、水冷）した後にかかる硬化熱処理をした実施例２についてそれぞれ０．２％耐力、破断伸び及びビッカース硬さの測定をした。
（上記実施例１と比較するための機械的性質測定試験片の作製）
試験片Ａは、上記実施例１のインゴットを、ヒータ加熱式反転加圧鋳造機（Ｓｕｐｅｒ  Ｃａｓｃｏｍ，  デンケン社製）で大気雰囲気下において溶解し、ロストワックス法を用いて直径２ｍｍ、長さ４５ｍｍの引張試験片６本と、２０×１５×１ｍｍのビッカース硬さ試験片を作製した。
実施例２では、上記試験片Ａを軟化熱処理のために７００℃に加熱した電気炉（ＫＤＦ  ００７  ＥＸ，  デンケン社）中で１０分保持後に水中へ急水冷し、その後、硬化熱処理を施すために、４５０℃に加熱した電気炉中で１５分保持後、炉内で室温まで冷却した。
ビッカース硬さ試験用の試験片は、両面を＃１８０の耐水ペーパーで平滑にした後、測定面を＃８００、＃１２００の耐水ペーパーで研磨した。
【００３３】
（機械的性質の測定）
ビッカース硬さ、０．２％耐力および破断伸びは、上記実施例１と同様の方法で測定した。
その結果を図３〜５に示す。
【００３４】
ビッカース硬さ、０．２％耐力及び破断伸びは、試験片Ａと実施例１間及び、試験片Ａと実施例２間には有意差が認められたが、実施例１と実施例２の間では、有意差は認められなかった。即ち、鋳造後に軟化熱処理をしてもしなくても最終的に硬化熱処理を行えばビッカース硬さ、０．２％耐力及び破断伸びに差がないことがわかった。
よって、鋳造後に軟化熱処理をしてもしなくても最終的に硬化熱処理を行えば機械的性質に差がないことがわかった。
【比較例】
【００３５】
表３に示す比較例３から比較例２３は、実施例１および実施例２の機械的性質が、公知例にないことを示すために、下記特許公報及び特許公開公報の歯科鋳造用金合金と比較した。
【００３６】
【表３】
2012167344.tif 000005
【００３７】
表３の比較例３〜３０の組成を改めて表示すると、表４のようになる。比較例２４〜３０は、本発明の開発過程で比較検討した本発明に近い組成の歯科鋳造用金合金である。
【００３８】
【表４】
2012167344.tif 000006
【００３９】
なお、各比較例３〜３０については、軟化熱処理をせずに前記硬化熱処理を施し、材料試験を行った。ビッカース硬さ、０．２％耐力および破断伸びの測定は、上記実施例１と同様の方法で測定した。
【００４０】
【表５】
2012167344.tif 000007
【００４１】
（考察）
表４〜５に示すように、実施例１および実施例２の組成からわずかに変わっただけで、硬化熱処理後の機械的性質が大きく異なることがわかる。実施例１および実施例２に示す機械的性質は、いずれの比較例にも存在しなかった。
【産業上の利用可能性】
【００４２】
歯科領域で用いる鋳造用金合金への応用が可能である。
【図１】
2012167344.tif 000008
【図２】
2012167344.tif 000009
【図３】
2012167344.tif 000010
【図４】
2012167344.tif 000011
【図５】
2012167344.tif 000012